(57)【要約】      （修正有）【課題】特定の場所に限定されることなく複数の照明装置を制御することができる照明制御システムを提供する。【解決手段】照明制御システム１は、複数の照明装置に電気的に接続される複数の調光器３ａ、３ｂ及び３ｃと、複数の調光器３ａ、３ｂ及び３ｃに対して制御信号を送信する少なくとも二つの制御装置４ａ及び４ｂと、制御装置４ａ及び４ｂの夫々にインターフェース５ａ及び５ｂを夫々介して通信可能に接続されていると共に制御装置４ａ及び４ｂの夫々から調光器３ａ、３ｂ及び３ｃの夫々に対する制御信号を混合する一つの信号混合器６と、信号混合器６並びに調光器３ａ、３ｂ及び３ｃの夫々に通信可能に接続されていると共に信号混合器６において混合された制御信号を分岐して調光器３ａ、３ｂ及び３ｃの夫々に送信する信号分岐器７とを具備している。【選択図】図１
2013149575.tif 000002
【特許請求の範囲】
【請求項１】
複数の照明装置に電気的に接続される複数の調光器と、この複数の調光器に対して制御信号を送信する少なくとも二つの制御装置と、この少なくとも二つの制御装置の夫々にインターフェースを介して通信可能に接続されていると共に当該少なくとも二つの制御装置の夫々から複数の調光器の夫々に対する制御信号を混合する一つの信号混合器と、この一つの信号混合器及び複数の調光器の夫々に通信可能に接続されていると共に当該一つの信号混合器において混合された制御信号を分岐して複数の調光器の夫々に送信する信号分岐器とを具備しており、前記複数の調光器は、少なくとも二つの制御装置からインターフェース、信号混合器及び信号分岐器を介して送信された制御信号に基づいて複数の照明装置を夫々調光するように構成されている照明制御システム。
【請求項２】
少なくとも二つの制御装置の夫々は、複数の調光器の夫々に対応する識別符号であって当該少なくとも二つの制御装置間において共通の識別符号を前記複数の調光器の夫々に対して割り当てる割り当てステップと、前記割り当てステップで割り当てた識別符号に対応する複数の調光器のうちの特定の調光器に対する制御信号を生成して送信する制御ステップとを有した制御プログラムを具備したコンピュータからなっている請求項１に記載の照明制御システム。
【請求項３】
少なくとも二つの制御装置の夫々は、制御信号に基づく複数の調光器の夫々の複数の照明装置の夫々に対する調光において生じるフィードバックを信号分岐器、信号混合器及びインターフェースを介して監視する監視ステップと、前記監視ステップにおいて監視しているフィードバックが、前記制御信号に基づく複数の調光器の夫々の複数の照明装置の夫々に対する調光において生じるべきフィードバックと異なった場合には、コンピュータ上においてエラー表示を行わせる表示ステップとを有した監視プログラムを具備している請求項１又は２に記載の照明制御システム。
【請求項４】
少なくとも二つの制御装置のうちの少なくとも一方は、操作可能な表示装置を具備している請求項１から３のいずれか一項に記載の照明制御システム。
【発明の詳細な説明】
【技術分野】
【０００１】
本発明は、ＴＶスタジオ、舞台等に設置される複数の照明装置を制御する照明制御システムに関する。
【背景技術】
【０００２】
例えば、特許文献１では、制御手段を光源体と離隔して設け、離間した位置から光源体に制御信号を送信して制御するようにした照明制御システムが提案されている。
【先行技術文献】
【特許文献】
【０００３】
【特許文献１】特開２００７−２９９５９０号公報
【発明の概要】
【発明が解決しようとする課題】
【０００４】
ところで、この種の照明制御システムでは、複数の照明装置の夫々を制御する一つの制御卓が特定の場所に設置されるために、前記複数の照明装置の夫々を制御するためには制御卓の設置場所において当該制御卓を操作せざるを得なかった。また、この種の照明制御システムでは、各個の照明装置に、例えば電球切れ等の故障が生じているか否かを制御卓で判別し得ず、前記故障しているか否かを判別するためには、複数の照明装置の夫々を実際に確かめることになって煩雑であった。
【０００５】
本発明は、前記諸点に鑑みてなされたものであって、その目的とするところは、特定の場所に限定されることなく複数の照明装置を制御することができる照明制御システムを提供することにある。また、本発明の他の目的とするところは、複数の照明装置を実際に確かめることなく当該複数の照明装置の夫々の状態を監視することができる照明制御システムを提供することにある。
【課題を解決するための手段】
【０００６】
本発明の照明制御システムは、複数の照明装置に電気的に接続される複数の調光器と、この複数の調光器に対して制御信号を送信する少なくとも二つの制御装置と、この少なくとも二つの制御装置の夫々にインターフェースを介して通信可能に接続されていると共に当該少なくとも二つの制御装置の夫々から複数の調光器の夫々に対する制御信号を混合する一つの信号混合器と、この一つの信号混合器及び複数の調光器の夫々に通信可能に接続されていると共に当該一つの信号混合器において混合された制御信号を分岐して複数の調光器の夫々に送信する信号分岐器とを具備しており、前記複数の調光器は、少なくとも二つの制御装置からインターフェース、信号混合器及び信号分岐器を介して送信された制御信号に基づいて複数の照明装置を夫々調光するように構成されている。
【０００７】
本発明の照明制御システムによれば、特に、少なくとも二つの制御装置の夫々にインターフェースを介して通信可能に接続されていると共に当該少なくとも二つの制御装置の夫々から複数の調光器の夫々に対する制御信号を混合する一つの信号混合器と、この一つの信号混合器及び複数の調光器の夫々に通信可能に接続されていると共に当該一つの信号混合器において混合された制御信号を分岐して複数の調光器の夫々に送信する信号分岐器とを具備しているために、二つ以上の制御装置を用いてもこれらの制御装置からの制御信号は一つの信号混合器によって混合されるので複数の制御信号の混同を防ぎ得、而して、特定の場所に限定されることなく、複数の場所又は任意の場所において複数の照明装置を夫々制御することができる。
【０００８】
本発明の照明制御システムでは、少なくとも二つの制御装置の夫々は、複数の調光器の夫々に対応する識別符号であって当該少なくとも二つの制御装置間において共通の識別符号を前記複数の調光器の夫々に対して割り当てる割り当てステップと、前記割り当てステップで割り当てた識別符号に対応する複数の調光器のうちの特定の調光器に対する制御信号を生成して送信する制御ステップとを有した制御プログラムを具備したコンピュータからなっていてもよい。
【０００９】
本発明の照明制御システムでは、少なくとも二つの制御装置の夫々は、制御信号に基づく複数の調光器の夫々の複数の照明装置の夫々に対する調光において生じるフィードバックを信号分岐器、信号混合器及びインターフェースを介して監視する監視ステップと、前記監視ステップにおいて監視しているフィードバックが、前記制御信号に基づく複数の調光器の夫々の複数の照明装置の夫々に対する調光において生じるべきフィードバックと異なった場合には、コンピュータ上においてエラー表示を行わせる表示ステップとを有した監視プログラムを具備していてもよい。このように監視プログラムを具備している照明制御システムによれば、複数の照明装置を実際に確かめることなく当該複数の照明装置の夫々の状態を少なくとも二つの制御装置の夫々において監視することができる。
【００１０】
本発明の照明制御システムでは、少なくとも二つの制御装置のうちの少なくとも一方は、操作可能な表示装置を具備していてもよい。
【発明の効果】
【００１１】
本発明によれば、特定の場所に限定されることなく複数の照明装置を制御することができる照明制御システムを提供し得る。また、本発明によれば、複数の照明装置を実際に確かめることなく当該複数の照明装置の夫々の状態を監視することができる照明制御システムを提供し得る。
【図面の簡単な説明】
【００１２】
【図１】図１は、本発明の実施の形態の例の概念説明図である。
【図２】図２は、主に制御装置における操作可能な表示装置の説明図である。
【発明を実施するための形態】
【００１３】
次に本発明の実施の形態を、図に示す好ましい例に基づいて更に詳細に説明する。なお、本発明はこれら例に何等限定されないのである。
【００１４】
図１において、本例の照明制御システム１は、複数の照明装置（図示せず）に電気的に接続される複数の調光器３ａ、３ｂ及び３ｃと、複数の調光器３ａ、３ｂ及び３ｃに対して制御信号を送信する少なくとも二つの制御装置４ａ及び４ｂと、制御装置４ａ及び４ｂの夫々にインターフェース５を介して通信可能に接続されていると共に制御装置４ａ及び４ｂの夫々から調光器３ａ、３ｂ及び３ｃの夫々に対する制御信号を混合する一つの信号混合器６と、信号混合器６並びに調光器３ａ、３ｂ及び３ｃの夫々に通信可能に接続されていると共に信号混合器６において混合された制御信号を分岐して調光器３ａ、３ｂ及び３ｃの夫々に送信する信号分岐器７とを具備している。
【００１５】
複数の照明装置の夫々は、図示しないが、ハロゲン、発光ダイオード等からなる光源を有したスポットライト、ホリゾントライト等からなり、複数の調光器３ａ、３ｂ及び３ｃの夫々に通電線を介して電気的に接続される。
【００１６】
調光器３ａ、３ｂ及び３ｃは、本例では夫々互いに同様に形成されており、制御装置４ａ及び４ｂの夫々からインターフェース５、信号混合器６及び信号分岐器７を介して送信された制御信号に基づいて複数の照明装置を夫々調光するように構成されている。調光器３ａ、３ｂ及び３ｃの夫々による照明装置の夫々の調光は、当該各照明装置に供給される交流電流をＰＷＭ制御することによって行われる。
【００１７】
本例では、調光器３ａはＴＶスタジオ１１に設置された照明装置に接続されており、調光器３ｂは舞台１２に設置された照明装置に、調光器３ｃは舞台１２に設置された他の照明装置に夫々接続されている。
【００１８】
調光器３ａ、３ｂ及び３ｃのうちの少なくとも一つには、二つ以上の照明装置が電気的に接続されるように構成されていてもよく、斯かる場合には、二つ以上の照明装置が接続される調光器３ａ、３ｂ及び３ｃのうちの少なくとも一つには、当該接続される照明装置の個数に対応した個数の後述の識別符号が割り当てられてもよい。
【００１９】
制御装置４ａはインターフェース５の一方のインターフェース５ａを介して信号混合器６に、制御装置４ｂはインターフェース５の他方のインターフェース５ｂを介して信号混合器６に夫々有線又は無線で通信可能に接続されている。制御装置４ａ及び４ｂと信号混合器６との通信に用いられる通信プロトコルは、例えばＴＣＰ／ＩＰであってもよい。信号混合器６と調光器３ａ、３ｂ及び３ｃとは伝送路１５及び信号分岐器７を介してＤＭＸ信号での通信が可能となるように夫々接続されている。インターフェース５ａは、本例では制御装置４ａと信号混合器６とを仲介しており、インターフェース５ｂは、本例では制御装置４ｂと信号混合器６とを仲介している。尚、ＤＭＸとは、照明を制御するための通信プロトコルを意味し、前記ＤＭＸ信号はＤＭＸに従って用いられる信号を意味する。ＤＭＸ（Ｄｉｇｉｔａｌ Ｍｕｌｔｉｐｌｅｘ）信号は、ＤＭＸ２５６信号であってもＤＭＸ５１２信号であってもよい。
【００２０】
信号混合器６は、制御装置４ａ及び４ｂの夫々からの制御信号をインターフェース５ａ及び５ｂを介して夫々受信し、受信した制御装置４ａ及び４ｂからのＴＣＰ／ＩＰに従う制御信号をＤＭＸ信号に変換し、当該信号の信号電波と局部発振波とを加えて、中間周波出力を発生する混合を行い、混合したＤＭＸ信号を伝送路１５及び信号分岐器７を介して調光器に調光器３ａ、３ｂ及び３ｃに送信する機器である。信号混合器６はまた、調光器３ａ、３ｂ及び３ｃからのフィードバックを受信して制御装置４ａ及び４ｂの夫々に発信する。本例では、信号混合器６と制御装置４ａ及び４ｂとの通信にはＴＣＰ／ＩＰが用いられ、信号混合器６と信号岐器並びに調光器３ａ、３ｂ及び３ｃとの通信にはＤＭＸが用いられる。
【００２１】
信号分岐器７は、信号混合器６と調光器３ａ、３ｂ及び３ｃとの間に一つ又は複数個配設されており、制御信号に含まれる識別符号に応じて当該識別符号に対応の調光器３ａ、３ｂ及び３ｃのうちの特定の調光器に対して制御信号を送信するように構成されている。
【００２２】
制御装置４ａ及び４ｂの夫々は、例えば、中央演算装置、記憶装置、入出力装置及び操作可能な表示装置と、後述の制御プログラム及び監視プログラムとを有したコンピュータからなる。斯かるコンピュータは、例えば、操作可能な表示装置としてタッチパネルを具備していてもよい。タッチパネルは、表示装置と当該表示装置において操作された操作表示位置を位置情報信号として認識する位置入力装置とを具備しており、位置入力装置には、マトリクス・スイッチ式、抵抗膜方式、表面弾性波方式、赤外線方式、電磁誘導方式、静電容量方式等の方式のものが使用され得る。制御プログラム及び監視プログラムは前記記憶装置に記憶されており、表示装置に対する操作に基づいて実行される。
【００２３】
図２は、制御装置４ａ及び４ｂの夫々のタッチパネルにおける表示画面を示す。図２において、符号２１、２２及び２３は夫々Ａ方向にスライド表示可能な操作摘みであり、符号２４、２５及び２６は、操作摘み２１、２２及び２３の夫々に割り当てられた調光器３ａ、３ｂ及び３ｃの別を表示する割り当て欄であり、符号２７は各メッセージを表示可能なメッセージ表示欄である。
【００２４】
制御プログラムは、調光器３ａ、３ｂ及び３ｃの夫々に対応する識別符号であって制御装置４ａ及び４ｂ間において共通の識別符号を前記調光器３ａ、３ｂ及び３ｃの夫々に対して割り当てる割り当てステップと、割り当てステップで割り当てた識別符号に対応する調光器３ａ、３ｂ及び３ｃのうちの特定の調光器に対する制御信号を生成して送信する制御ステップとを有している。
【００２５】
割り当てステップでは、制御装置４ａ又は４ｂの割り当て欄２４、２５及び２６の操作により調光器３ａ、３ｂ又は３ｃが選択されることによって当該調光器３ａ、３ｂ及び３ｃの夫々に対応する識別符号が制御装置４ａ及び４ｂ上において割り当てられる。ここでは、説明の便宜上、１ｃｈには調光器３ａが、２ｃｈには調光器３ｂが、３ｃｈには調光器３ｃが夫々割り当てられたこととする。尚、割り当て欄２４及び操作摘み２１は１ｃｈに対応しており、割り当て欄２５及び操作摘み２２は２ｃｈに対応しており、割り当て欄２６及び操作摘み２３は３ｃｈに対応している。
【００２６】
制御ステップでは、制御装置４ａ又は４ｂ上での操作摘み２１、２２及び２３の夫々のＡ方向のスライド操作によって調光器３ａ、３ｂ及び３ｃの夫々に対して制御信号を生成しインターフェース５ａ又は５ｂに送信する。操作摘み２１が操作された場合には識別符号１ｃｈに対応する調光器３ａに対する特定的な制御信号を生成し、操作摘み２２が操作された場合には識別符号２ｃｈに対応する調光器３ｂに対する特定的な制御信号を生成し、操作摘み２３が操作された場合には識別符号３ｃｈに対応する調光器３ｃに対する特定的な制御信号を生成し、このように生成した各制御信号はインターフェース５ａ又は５ｂ、信号混合器６、信号分岐器７並びに伝送路１５を介して調光器３ａ、３ｂ及び３ｃの夫々に送信される。
【００２７】
監視プログラムは、制御信号に基づく調光器３ａ、３ｂ及び３ｃの夫々の複数の照明装置の夫々に対する調光において生じるフィードバックを信号分岐器７、信号混合器６及びインターフェース５ａ及び５ｂを介して監視する監視ステップと、前記監視ステップにおいて監視しているフィードバックが、前記制御信号に基づく調光器３ａ、３ｂ及び３ｃの夫々の複数の照明装置の夫々に対する調光において生じるべきフィードバックと異なった場合には、制御装置４ａ及び４ｂの夫々の表示装置上においてエラー表示を行わせる表示ステップとを有している。
【００２８】
監視ステップは、調光器３ａ、３ｂ及び３ｃの夫々のフィードバックを信号混合器６からインターフェース５ａ又は５ｂを介して制御装置４ａ又は４ｂにおいて受信させるステップと、当該ステップで受信させたフィードバックが、制御信号に基づく調光器３ａ、３ｂ及び３ｃの夫々の複数の照明装置の夫々に対する調光において生じるべきフィードバックと異なっているか否かを判別し、異なる場合には前記表示ステップを起動させるステップとを有している。
【００２９】
表示ステップは、監視ステップにおいて、受信フィードバックが、制御信号に基づく調光器３ａ、３ｂ及び３ｃの夫々の複数の照明装置の夫々に対する調光において生じるべきフィードバックと異なっているか否かを判別されて起動された場合には、メッセージ表示欄２７に、識別符号に対応する調光器３ａ、３ｂ及び３ｃのうちの特定の調光器においてエラーが生じた旨を意味するエラー表示を行わせる。エラー表示の対象となるエラー種別としては、例えば、入出力の過電流及び過電圧、ショート、照明装置の光源の通電の有無等が挙げられる。制御装置４ａ及び４ｂでは、更に、照明装置の内部温度の上昇、ブレーカのＯＮ／ＯＦＦ、漏電、調光カーブ、ウォームアップ（予熱）の有無等を監視するように構成されていてもよい。
【００３０】
斯かる照明制御システム１では、制御装置４ａにおいて操作摘み２１及び２２がＡ方向にスライド操作された場合には、識別符号１ｃｈが割り当てられた調光器３ａに対する制御信号及び識別符号２ｃｈが割り当てられた調光器３ｂに対する制御信号が生成され、インターフェース５ａを介して信号混合器６に送信される。また、制御装置４ｂにおいて操作摘み２３がＡ方向に夫々スライド操作された場合には、識別符号３ｃｈが割り当てられた調光器３ｃに対する制御信号が生成され、インターフェース５ｂを介して信号混合器６に送信される。識別符号１ｃｈ、２ｃｈ及び３ｃｈに対応の制御信号を受信した信号混合器６は、これらの制御信号を混合して伝送路１５を介して信号分岐器７に送信する。信号混合器６からの混合した制御信号を受信した信号分岐器７は、当該制御信号を、接続先の調光器３ａ、３ｂ及び３ｃの別に応じて識別符号１ｃｈ、２ｃｈ及び３ｃｈのいずれかに対応の制御信号に分けて当該接続先の調光器３ａ、３ｂ及び３ｃのいずれかに送信する。信号分岐器７で分岐された識別符号１ｃｈに対応の制御信号を受信した調光器３ａは、当該制御信号に基づいて照明装置を調光し、信号分岐器７で分岐された識別符号２ｃｈに対応の制御信号を受信した調光器３ｂは、当該制御信号に基づいて照明装置を調光し、信号分岐器７で分岐された識別符号３ｃｈに対応の制御信号を受信した調光器３ｃは、当該制御信号に基づいて照明装置を調光する。照明制御システム１はこのようにして照明制御を行うように構成されている。また、照明制御システム１では、上述のように制御装置４ａ及び４ｂにおいて調光器３ａ、３ｂ及び３ｃからのフィードバックの異常の有無を監視しており、異常があると判別した場合にはメッセージ表示欄２７に調光器３ａ、３ｂ及び３ｃ又はこれら調光器に接続された照明装置に対して特定的なエラー表示を行う。例えば、識別符号１ｃｈに対応するラインでのフィードバックに異常があると判別した場合には、当該識別符号１ｃｈに対応する調光器３ａにおいてエラーが発生した旨のエラー表示を行う。
【００３１】
本例の照明制御システム１によれば、複数の照明装置に電気的に接続される複数の調光器３ａ、３ｂ及び３ｃと、複数の調光器３ａ、３ｂ及び３ｃに対して制御信号を送信する少なくとも二つの制御装置４ａ及び４ｂと、制御装置４ａ及び４ｃの夫々にインターフェース５ａ及び５ｂを介して通信可能に接続されていると共に当該制御装置４ａ及び４ｂの夫々から調光器３ａ、３ｂ及び３ｃの夫々に対する制御信号を混合する一つの信号混合器６と、一つの信号混合器６並びに調光器３ａ、３ｂ及び３ｃの夫々に通信可能に接続されていると共に一つの信号混合器６において混合された制御信号を分けて調光器３ａ、３ｂ及び３ｃの夫々に送信する信号分岐器７とを具備しており、前記調光器３ａ、３ｂ及び３ｃは、制御装置４ａ及び４ｂからインターフェース５ａ及び５ｂ、信号混合器６並びに信号分岐器７を介して送信された制御信号に基づいて複数の照明装置を夫々調光するように構成されているために、二つ以上の制御装置４ａ及び４ｂを用いてもこれらの制御装置４ａ及び４ｂからの制御信号は一つの信号混合器６によって混合されるので複数の制御信号の混同を防ぎ得、而して、特定の場所に限定されることなく、複数の場所又は任意の場所において複数の照明装置を夫々制御することができる。
【００３２】
また、照明制御システム１によれば、少なくとも二つの制御装置４ａ及び４ｂの夫々は、制御信号に基づく複数の調光器３ａ、３ｂ及び３ｃの夫々の複数の照明装置の夫々に対する調光において生じるフィードバックを信号分岐器７、信号混合器６並びにインターフェース５ａ及び５ｂを介して監視する監視ステップと、前記監視ステップにおいて監視しているフィードバックが、前記制御信号に基づく調光器３ａ、３ｂ及び３ｃの夫々の複数の照明装置の夫々に対する調光において生じるべきフィードバックと異なった場合には、制御装置４ａ及び４ｂとしてのコンピュータ上においてエラー表示を行わせる表示ステップとを具備している監視プログラムを具備しているために、複数の照明装置を実際に確かめることなく当該複数の照明装置の夫々の状態を少なくとも二つの制御装置４ａ及び４ｂの夫々において監視することができる。
【符号の説明】
【００３３】
１  照明制御システム
３ａ、３ｂ、３ｃ  調光器
４ａ、４ｂ  制御装置
５ａ、５ｂ  インターフェース
６  信号混合器
７  信号分岐器
１１  ＴＶスタジオ
１２  舞台
１５  伝送路
２１、２２、２３  操作摘み
２４、２５、２６  割り当て欄
２７  メッセージ表示欄
【図１】
2013149575.tif 000003
【図２】
2013149575.tif 000004